(57)【特許請求の範囲】
【請求項１】
バッグ（１）にバッグの形態で使用する際には棚として機能する第１テ−ブル（２）を設け、第１テ−ブル（２）と第２テ−ブル（３）とを固定する蝶番（４）を設け、第１テ−ブル（２）に対して第２テ−ブル（３）を垂直に折り畳むことで第２テ−ブル（３）は第１テ−ブル（２）上の積載物を保持するための壁として機能する様にし、蝶番（４）の機能により第１テ−ブル（２）に対して第２テ−ブル（３）を水平に併設することでテ−ブル面積の拡大を図る様にしたバッグであって、第２テ−ブル（３）の裏面に縁（５）を設け、テ−ブルの形態で使用する際には第１テ−ブル（２）に対して第２テ−ブル（３）を水平に併設する状態において縁（５）を貫通する雄ネジ（６）をバッグ（１）側に設ける雌ネジ（７）に締め付け固定すると共に、継ぎ手（８）を介して結合されるＬ字型の脚（９）を第２テ−ブル（３）の裏面に設け、Ｌ字型の脚（９）は折り畳み開閉のための軸の機能を備えて軸受け（１０）に組まれ、脚（９）の外周にらせん状の溝切り（１１）を設け、溝切り（１１）と噛み合うパイプ（１２）を設け、パイプ（１２）の繰り出し調整をして第２テ−ブル（３）の支持を行う様にしたバッグのテ−ブル支持構造。
【発明の詳細な説明】
【技術分野】
【０００１】  本発明はキャンプ等に使用する折り畳み式の併設テーブルを備えるレジャー用バッグに関するものである。
【背景技術】
【０００２】  折り畳み式によりテーブルを併設できる機能を備えるレジャー用バッグとしては特開平１０−２７２０１４号公報の様に併設テーブルを支持するための折り畳み式の脚を設けるものがある。又、前記の機能を備えるレジャー用バッグとしては特開平６−９８８０５号公報や特開２０００−３００３４１号公報の様に併設テーブルを支持するための折り畳み式の脚を設けないものがある。
【発明が解決しようとする課題】
【０００３】  特開平１０−２７２０１４号公報の様に併設テーブルに折り畳み式の脚を設けるものは、併設テーブルは脚により支持力を高めている。但し、レジャー用バッグが設置される屋外の設置面は凹凸があり、この影響を受けることで既存テーブルと併設テーブルとの水平維持が困難である。これにより既存テーブルと併設テーブルとの境界に不整合箇所が生じることで積載物を不整合箇所に接触させてしまう、及び、接触に起因して転倒させてしまう懸念が生じる。又、併設テーブルが反る状態においては既存テーブルと併設テーブルとに設けた蝶番やテーブル側面を傷める懸念が生じる。更に、２本の脚を凹凸のある設置面に密着させるのは困難であることでがたつきが生じる懸念がある。
又、特開平６−９８８０５号公報や特開２０００−３００３４１号公報の様に併設テーブルに折り畳み式の脚を設けないものは、併設テーブルはバッグが設置される凹凸のある設置面の影響を受けることは無く、既存テーブルと併設テーブルとの水平維持は容易であり、前記の様な懸念は無い。但し、併設テーブルを支持する脚が無いために、例えば既存テーブル上の積載物が少なく、併設テーブル上の積載物が多い状況においてはバッグの重量配分が中央から周辺に偏ることでバッグが傾倒する懸念がある。本発明は既存テーブルと併設テーブルとの水平維持を図るための折り畳み脚及び、付属構成を提供するものである。
【課題を解決するための手段】
【０００４】  バッグ１にバッグの形態で使用する際には棚として機能する第１テーブル２を設け、第１テーブル２と第２テーブル３とを固定する蝶番４を設け、第１テーブル２に対して第２テーブル３を垂直に折り畳むことで第２テーブル３は第１テーブル２上の積載物を保持するための壁として機能する様にし、蝶番４の機能により第１テーブル２に対して第２テーブル３を水平に併設することでテーブル面積の拡大を図る様にしたバッグであって、第２テーブル３の裏面に縁５を設け、テーブルの形態で使用する際には第１テーブル２に対して第２テーブル３を水平に併設する状態において縁５を貫通する雄ネジ６をバッグ１側に設ける雌ネジ７に締め付け固定すると共に、継ぎ手８を介して結合されるＬ字型の脚９を第２テーブル３の裏面に設け、Ｌ字型の脚９は折り畳み開閉のための軸の機能を備えて軸受け１０に組まれ、脚９の外周にらせん状の溝切り１１を設け、溝切り１１と噛み合うパイプ１２を設け、パイプ１２の繰り出し調整をして第２テーブル３の支持を行う様にする。
【発明を実施するための最良の形態】
【０００５】  図１に示すものは特開２０００−３００３４１号公報で示された構成に基づくものであり、固定型の側壁１３を正面にして描かれたものである。バッグ１内に既存テーブルである第１テーブル２を設け、第１テーブル２の対向する辺に対となる可動型の第２テーブル３を設け、バッグ１がバッグの形態時には第２テーブル３が固定型の側壁１３と共に第１テーブル２を囲む壁として機能する様にし、これにより第１テーブル２上の食品や食器等の積載物を保持することができる。又、第１テーブル２と第２テーブル３とを固定する蝶番４を設け、バッグ１がテーブルの形態時には蝶番４の動きに沿って第２テーブル３を開いて第１テーブル２と第２テーブル３とが併設される様にする。
又、凹凸のある設置面の状況下においても既存テーブルと併設テーブルとの水平維持を可能とするために図１においては第２テーブル３の裏面に縁５を設け、縁５を貫通する雄ネジ６を設け、この構成により第２テーブル３を蝶番４の動きに沿って開き、水平に至る状態で縁５をバッグ１本体に密着させてバッグ１側に設ける雌ネジ７に締め付け固定する。つまり、縁５は第２テーブル３に対して直角に突出する形状を成すことで密着が広範囲に高められ、第１テーブル２と第２テーブル３とが水平状態で固定されたことになる。なお、図１の右側の第２テーブル３は壁の機能から併設テーブルの機能に変更されることによりバッグの形態からテーブルの形態へ移行し、又、第１テーブル２と第２テーブル３とが水平状態にあることを示すものである。なお、蝶番４を設けずに特開２０００−３００３４１号公報で示す様に第２テーブル３を抜き差しにより第１テーブル２に併設する構成でも対応可能である。
次に、第２テーブル３の支持力を高めるための脚を設けるが、継ぎ手８を介して結合されるＬ字型の脚９を第２テーブル３の裏面に設ける。２本のＬ字型の脚９は折り畳み開閉のための軸の機能を備えて各々が軸受け１０に組まれ、この脚９を軸の動きに沿って開き、継ぎ手８がストッパー１４に接触する状態において脚９の外周に設けるらせん状の溝切り１１と噛み合うパイプ１２を繰り出し、パイプ１２の先端と設置面とが密着するまで繰り出し調整を行い第２テーブル３の支持を行う様にする。
【実施例】
【０００６】  又、前記の継ぎ手８がストッパー１４に接触することの説明については、継ぎ手８は板状を成して脚９に対して平行に２本の脚９と結合されるため、脚９を軸の動きに沿って開くことで継ぎ手８が垂直に起き上がり、継ぎ手８が２つの軸受け１０間に設けるストッパー１４に接触する様になる。なお、脚９と継ぎ手８との結合手段としては脚９に設けるらせん状の溝切りと噛み合う継ぎ手８側の雌ネジ構成によるものが考慮できるが、締め付け固定は緩むという経年変化を想定し、脚９と継ぎ手８とを溶接により結合することも適切である。又、バッグ１本体の底面の角４箇所に調整ネジ１５を設け、バッグ１本体の水平維持の調整を行う。
又、図２のものは第２テーブル３周辺を示す斜視図であり、バッグ１がテーブルの形態にある状態を把握できる様にしたものである。突出する形状の縁５は安全面の観点から縁５の厚みを増す様にし、縁５の端部１６の面を取る加工を行うと共に、脚９及び、パイプ１２が折り畳まれる際の収納空間に影響を及ぼすことの無い縁５の中央部１７の厚みを更に増す様に施すことで縁５の補強にも役立てる。なお、脚９及び、パイプ１２が折り畳まれる際にこれらと接触する様な形状の中央部１７を造作することでホルダー１８機能を付加させるという応用例が考慮できる。又、溝切り１１箇所は脚９の上部寄りまで延伸し、パイプ１２と噛み合う構成にすることで、屋外の設置面の土砂を溝切り１１に巻き込むことによる機能不全の防止を図るが、溝切り１１の範囲を広げる措置を施すことは脚９とパイプ１２との噛み合い密度を高めて両者の一体化の促進のためにも効果的である。
【発明の効果】
【０００７】  第１テーブル２と第２テーブル３とを水平状態で固定した後に第２テーブル３を脚９により支持することで第１テーブル２と第２テーブル３との水平維持を安定的に達成することができる。つまり、第２テーブル３は縁５における２箇所の雄ネジ６固定部及び、２本の脚９による４点支持を得ることになる。なお、縁５により第２テーブル３とバッグ１本体との密着を広範囲に高められることで、雄ネジ６を使用しない状況下で脚９を機能させるという簡易手段も考慮できる。
【図面の簡単な説明】
【図１】  本発明の側面透視図
【図２】  第２テーブル３周辺を示す斜視図
【符号の説明】
１  バッグ          ２  第１テーブル          ３  第２テーブル
４  蝶番            ５  縁                    ６  雄ネジ
７  雌ネジ          ８  継ぎ手                ９  脚
１０  軸受け        １１  溝切り              １２  パイプ
１３  側壁          １４  ストッパー          １５  調整ネジ
１６  端部          １７  中央部              １８  ホルダー
【図１】
0004446391.tif 000002
【図２】
0004446391.tif 000003